(57)【要約】【課題】簡便な作業を実現し、作業者の負担を軽減することができる養生テープ貼付け装置を提供する。【解決手段】養生テープ貼付け装置１０は、起立した作業者によって把持される本体部１１と、この本体部１１の下端に備えられたローラー部１２と、このローラー部１２の手前側で本体部１１に備えられた第一支持部１９とを有し、ロール状のシート付養生テープ１ａが、第一支持部１９に取り付けられると共に、ローラー部１２に巻かれ、このローラー部１２が地面に沿って回転することで、シート付養生テープ１ａが地面に貼り付けられる。【選択図】図１
2019077535.tif 000002
【特許請求の範囲】
【請求項１】
起立した作業者によって把持される本体部と、
前記本体部の下端に備えられたローラー部と、
前記ローラー部の手前側で前記本体部に備えられた第一支持部と、を有し、
ロール状の養生テープまたはシート付養生テープが、前記第一支持部に取り付けられると共に、前記ローラー部に巻かれ、このローラー部が地面に沿って回転することで、養生テープまたはシート付養生テープが地面に貼り付けられる、
ことを特徴とする養生テープ貼付け装置。
【請求項２】
未使用の養生テープまたはシート付養生テープが収納されるストック保持部が、前記第一支持部の手前側で前記本体部に備えられた、
ことを特徴とする請求項１に記載された養生テープ貼付け装置。
【請求項３】
前記第一支持部と前記ストック保持部とが連接された、
ことを特徴とする請求項２に記載された養生テープ貼付け装置。
【請求項４】
前記第一支持部に取り付けられた養生テープまたはシート付養生テープと前記ストック保持部に収納された未使用の養生テープまたはシート付養生テープとを離す仕切り部が、前記ストック保持部に備えられた、
ことを特徴とする請求項３に記載された養生テープ貼付け装置。
【請求項５】
シート付養生テープのテープ部が前記ローラー部の幅の中央近傍に配置され、
シート付養生テープの幅よりも前記ローラー部の幅が小さく形成された、
ことを特徴とする請求項１から請求項４のいずれか１項に記載された養生テープ貼付け装置。
【請求項６】
養生テープが取り付けられる第二支持部が、前記第一支持部と前記ローラー部との間で前記本体部に備えられ、
養生テープがシート付養生テープと共に地面に貼り付けられる、
ことを特徴とする請求項１から請求項５のいずれか１項に記載された養生テープ貼付け装置。
【請求項７】
前記ローラー部が、複数のＯリングで構成された、
ことを特徴とする請求項１から請求項６のいずれか１項に記載された養生テープ貼付け装置。
【発明の詳細な説明】
【技術分野】
【０００１】
本発明は、例えば道路に養生テープまたはシート付養生テープを貼り付ける際に用いられる養生テープ貼付け装置に関するものである。
【背景技術】
【０００２】
従来、例えば、道路に記された様々な区画線や道路標示（以下、「区画線等」と記す。）が描かれる場合、また、側溝の近傍に線を引く場合や建物と道路との境界部分を塗装する場合などに、養生テープまたはシート付養生テープが用いられる。シート付養生テープは、マスカーやマスカーテープなどと称され、養生用のポリシートの片縁に、マスキング用の粘着テープが取り付けられている。作業者は、所望の位置にマスカーテープを貼り付け、ペイント式の路面標示材などを用いて、粘着テープ側に区画線等を描く。仮に、路面標示材が飛散した場合であっても、ポリシートによって、道路が汚れから保護される。
【０００３】
用途によっては、ポリシート側の縁が、別の粘着テープで道路に貼り付けられる場合もある。この場合、作業を簡便にするために、例えば、下記特許文献１に記載された塗装用マスカーテープ貼付け装置が用いられる。この塗装用マスカーテープ貼付け装置によれば、ロール状のマスカーテープが引き出されると共に粘着テープが取り付けられ、再びロール状に巻かれる。
【先行技術文献】
【特許文献】
【０００４】
【特許文献１】特開平１０−１２８１９２号公報
【発明の概要】
【発明が解決しようとする課題】
【０００５】
しかし、マスカーテープを道路に貼り付ける作業は、作業者の手作業で行われるため、煩雑であり、また、作業者の身体に負担がかかる。
【０００６】
本発明は、この様な実情に鑑みて提案されたものである。すなわち、簡便な作業を実現し、作業者の身体の負担を軽減することができる養生テープ貼付け装置の提供を目的とする。
【課題を解決するための手段】
【０００７】
上記目的を達成するために、本発明に係る養生テープ貼付け装置は、起立した作業者によって把持される本体部と、前記本体部の下端に備えられたローラー部と、前記ローラー部の手前側で前記本体部に備えられた第一支持部と、を有し、ロール状の養生テープまたはシート付養生テープが、前記第一支持部に取り付けられると共に、前記ローラー部に巻かれ、このローラー部が地面に沿って回転することで、養生テープまたはシート付養生テープが地面に貼り付けられる、ことを特徴とする。
【０００８】
本発明に係る養生テープ貼付け装置は、未使用の養生テープまたはシート付養生テープが収納されるストック保持部が、前記第一支持部の手前側で前記本体部に備えられた、ことを特徴とする。
【０００９】
本発明に係る養生テープ貼付け装置は、前記第一支持部と前記ストック保持部とが連接された、ことを特徴とする。
【００１０】
本発明に係る養生テープ貼付け装置は、前記第一支持部に取り付けられた養生テープまたはシート付養生テープと前記ストック保持部に収納された未使用の養生テープまたはシート付養生テープとを離す仕切り部が、前記ストック保持部に備えられた、ことを特徴とする。
【００１１】
本発明に係る養生テープ貼付け装置は、シート付養生テープのテープ部が前記ローラー部の幅の中央近傍に配置され、シート付養生テープの幅よりも前記ローラー部の幅が小さく形成された、ことを特徴とする。
【００１２】
本発明に係る養生テープ貼付け装置は、養生テープが取り付けられる第二支持部が、前記第一支持部と前記ローラー部との間で前記本体部に備えられ、養生テープがシート付養生テープと共に地面に貼り付けられる、ことを特徴とする。
【００１３】
本発明に係る養生テープ貼付け装置は、前記ローラー部が、複数のＯリングで構成された、ことを特徴とする。
【発明の効果】
【００１４】
本発明に係る養生テープ貼付け装置は、起立した作業者によって把持される本体部と、本体部の下端に備えられたローラー部と、ローラー部の手前側で本体部に備えられた第一支持部と、を有し、ロール状の養生テープまたはシート付養生テープが、第一支持部に取り付けられると共に、ローラー部に巻かれ、このローラー部が地面に沿って回転することで、養生テープまたはシート付養生テープが地面に貼り付けられる。すなわち、作業者は、起立した状態で、養生テープ貼付け装置を操作してローラー部を地面に沿って転がすことで、養生テープまたはシート付養生テープが地面に貼り付けられる。したがって、簡便な作業を実現し、作業者の身体の負担を軽減することができる。
【００１５】
本発明に係る養生テープ貼付け装置は、未使用の養生テープまたはシート付養生テープが収納されるストック保持部が、第一支持部の手前側で本体部に備えられている。この構成により、交換用の未使用の養生テープまたはシート付養生テープが携行される。したがって、作業者は、養生テープまたはシート付養生テープを使い切って交換する場合であっても、シート付養生テープを資材置き場などに取りに戻る必要がない。
【００１６】
本発明に係る養生テープ貼付け装置は、第一支持部とストック保持部とが連接されている。すなわち、構成が簡便であり、また、使用済みの養生テープまたはシート付養生テープが第一支持部から取り外されると、未使用の養生テープまたはシート付養生テープが自動的に第一支持部に装着される。したがって、優れた利便性を実現することができる。
【００１７】
本発明に係る養生テープ貼付け装置は、第一支持部に取り付けられた養生テープまたはシート付養生テープとストック保持部に収納された未使用の養生テープまたはシート付養生テープとを離す仕切り部が、ストック保持部に備えられている。この構成により、使用中の養生テープまたはシート付養生テープの回転が妨げられることがない。したがって、未使用の養生テープまたはシート付養生テープを携行しつつ、円滑な作業を実現することができる。
【００１８】
本発明に係る養生テープ貼付け装置は、シート付養生テープのテープ部がローラー部の幅の中央近傍に配置され、シート付養生テープの幅よりもローラー部の幅が小さく形成されている。必要最低限の費用でローラー部を構成しつつ、シート付養生テープを地面に確実に貼り付けることができる。また、狭い場所であっても、ローラー部を行き届かせることができる。
【００１９】
本発明に係る養生テープ貼付け装置は、養生テープが取り付けられる第二支持部が、第一支持部とローラー部との間で本体部に備えられ、養生テープがシート付養生テープと共に地面に貼り付けられる。すなわち、養生テープの上にシート付養生テープが貼り付けられた状態で、両テープが同時に地面に貼り付けられる。したがって、簡便な作業を実現し、作業者の身体の負担を軽減することができる。なお、シート付養生テープのテープ部の粘着力が弱い場合や、地面の凹凸が激しい場合、テープ部が地面に適切に密着しない場合がある。そのため、テープ部の下地として、先に養生テープが地面に貼り付けられ、この養生テープの上からシート付養生テープのテープ部が貼り付けられる。本発明は、この作業を同時に行うことができる。
【００２０】
本発明に係る養生テープ貼付け装置は、ローラー部が、複数のＯリングで構成されている。すなわち、Ｏリングであれば、劣化した場合であっても、入手や交換が簡便である。また、仮に、地面に凹凸が存在していた場合であっても、Ｏリングは、弾性によって凹凸に応じて変形し、養生テープまたはシート付養生テープを地面に密着させて貼り付けることができる。
【図面の簡単な説明】
【００２１】
【図１】図１は、本発明の第一実施形態に係る養生テープ貼付け装置の斜視図である。
【図２】図２は、本発明の第一実施形態に係る養生テープ貼付け装置が示され、（ａ）は平面図、（ｂ）は側面図である。
【図３】図３は、本発明の第二実施形態に係る養生テープ貼付け装置の斜視図である。
【図４】図４は、本発明の第二実施形態に係る養生テープ貼付け装置が示され、（ａ）は平面図、（ｂ）は側面図である。
【図５】図５は、本発明の第二実施形態に係る養生テープ貼付け装置の使用状態が示された使用状態側面図である。
【図６】図６は、本発明の第二実施形態に係る養生テープ貼付け装置の他の使用状態が示された使用状態側面図である。
【図７】図７は、本発明の第三実施形態に係る養生テープ貼付け装置の使用状態側面図である。
【発明を実施するための形態】
【００２２】
以下は、本発明の第一実施形態に係る養生テープ貼付け装置の説明である。図１および図２は、第一実施形態に係る養生テープ貼付け装置１０が示されている。なお、以下の説明では、地面に接触する側を先方とし、反対側を後方とし、幅方向を側方とし、地面に対して垂直な方向を上方または下方とする。また、以下の実施形態では、シート付養生テープが用いられているが、シートが付いていない養生テープを用いることもできる。
【００２３】
図１および図２に示されているとおり、養生テープ貼付け装置１０は、起立した作業者（図示省略）によって把持される本体部１１と、この本体部１１の下端に備えられたローラー部１２と、このローラー部１２の手前側で本体部１１に備えられた第一支持部１９と、この第一支持部１９の手前側で本体部１１に備えられたストック保持部２７とを有している。
【００２４】
本体部１１は、前後に向けて長手であり、ほぼ四角柱状である。本体部１１の後端側は、把持部であり、グリップなどが適宜設けられる。本体部１１の全長は、作業者が起立した状態で把持部を把持し、操作できる程度であれば任意である。なお、本体部１１は、例えば、円筒状や多角柱状などであってもよい。
【００２５】
ローラー部１２は、本体部１１の先端に連接されたローラー支持部１３によって支持されている。ローラー支持部１３は、側方に向けて伸びた平板状のローラー基支持部１４と、このローラー基支持部１４の両側端から、前方に向けて、かつ、斜め下方に向けて伸びた一対の平板状のローラー軸支持部１５とから構成されている。ローラー軸支持部１５は、ローラー部１２が支持されている。ローラー部１２は、ナット１７によって両ローラー軸支持部１５に支持されているため、ナット１７を外すことで、ローラー部１２は、両ローラー軸支持部１５から外れる。ローラー部１２は、円柱状であり、外周に複数のＯリング１８が取り付けられている。ローラー部１２の幅は、シート付養生テープ１の幅よりも小さく形成され、例えば６０ミリメートルである。なお、ローラー部１２は、ライニング加工された円柱状のゴム製部材などであってもよい。また、ローラー部１２は、養生テープのサイズに応じて変更してもよく、養生シートの幅よりも大きいものであってもよい。すなわち、ローラー部１２よりも幅が小さい養生シートも用いることができる。
【００２６】
第一支持部１９は、ローラー部１２の手前側で本体部１１に連接された支持本体部２０に形成されている。支持本体部２０は、側方に向けて伸びた平板状の基支持部２１と、この基支持部２１の両端から上方に向けて伸びた一対の平板状の軸支持部２２とから構成されている。第一支持部１９は、片方の軸支持部２２である固定側軸支持部２３から、もう片方の軸支持部２２である可動側軸支持部２４に向けて突出した固定側軸部２５と、可動側軸支持部２４に形成された可動側軸部２６とから構成されている。可動側軸部２６は、固定側軸部２５と同一軸上に揃えられ、また、バネ（図示省略）によって、固定側軸部２５に向けて押されている。したがって、バネの弾性力に逆らう外力によって、可動側軸部２６が側方に向けて引っ張られると、可動側軸部２６は、側方に向けて移動し、可動側軸部２６と固定側軸部２５との間隔が広がる。この状態で、未使用のシート付養生テープ１ａが、固定側軸部２５に取り付けられ、可動側軸部２６が外力から解放されると、シート付養生テープ１ａは、固定側軸部２５と可動側軸部２６が芯に挿入されて支持される。シート付養生テープ１ａは、粘着性のテープ部２とポリシート部３とで構成され、ロール状である。このシート付養生テープ１ａが第一支持部１９に取り付けられた状態で、シート付養生テープ１ａのテープ部２は、ローラー部１２の幅の中央近傍に配置される。換言すれば、支持本体部２０は、養生テープ貼付け装置１０における前後方向の中心線上よりも側方にずれ、テープ部２がローラー部１２の幅の中央近傍に配置される位置で、本体部１１に連接されている。
【００２７】
ストック保持部２７は、前後に向けて長手のほぼ長方形であり、前後方向の中心線上で本体部１１に連接されている。ストック保持部２７は、収容本体部２８と蓋部２９とを有している。蓋部２９は、収容本体部２８の側部に形成されたヒンジ部（図示省略）を介して収容本体部２８に連結され、蓋部２９は、収容本体部２８に対して側方に向けて開けられる。収容本体部２８は、未使用のシート付養生テープ１ａが複数収容される。
【００２８】
以下は、本発明の第二実施形態に係る養生テープ貼付け装置の説明である。図３および図４は、第二実施形態に係る養生テープ貼付け装置２１０が示されている。なお、以下の説明では、主に、第一実施形態に係る養生テープ貼付け装置１０と異なる構成が説明され、養生テープ貼付け装置１０と同様の構成は、説明が適宜省略されている。
【００２９】
図３および図４に示されているとおり、養生テープ貼付け装置２１０は、養生テープ貼付け装置１０と異なり、第一支持部とストック保持部とが連接されている。詳説すれば、収容本体部２２８は、側部の前方寄りに、第一支持部としての一対の溝部２１９が形成されている。収容本体部２２８の前端は開口され、本体開口部２３２が形成されている。蓋部２２９は、収容本体部２２８の後側に形成されたヒンジ部を介して収容本体部２２８に連結され、蓋部２２９は、収容本体部２２８に対して後方に向けて開けられる。蓋部２２９の先端部は開口され、蓋開口部２３３が形成されている。蓋部２２９の内側は、前方寄りにおいて、フック状の仕切り部２３４が形成されている。この仕切り部２３４によって、収容本体部２２８は、支持領域２３５とストック領域２３６とに区分されている。すなわち、支持領域２３５は、使用中のシート付養生テープ１ｂが溝部２１９に支持され、一方、ストック領域２３６は、未使用のシート付養生テープ１ａが収納される（図５参照）。
【００３０】
シート付養生テープ１ａ，１ｂは、芯に予め芯部材５が通される。芯部材５は、円筒状であり、溝部２１９に嵌る。芯部材５が挿入されたシート付養生テープ１ａは、支持領域２３５において、芯部材５が溝部２１９に取り付けられ、本体開口部２３２から露出する。未使用のシート付養生テープ１ｂは、芯に予め芯部材５が通され、ストック領域２３６に収容される。この状態で、蓋部２２９が閉められると、仕切り部２３４によって、支持領域２３５の溝部２１９に取り付けられたシート付養生テープ１ｂと、ストック領域３２６に収納された未使用のシート付養生テープ１ａとが離れて配置される（図５参照）。
【００３１】
シート付養生テープ１ａが溝部２１９に取り付けられた状態で、シート付養生テープ１のテープ部２は、ローラー部１２の幅の中央近傍に配置される。換言すれば、ストック保持部２２７は、養生テープ貼付け装置２１０における前後方向の中心線上よりも側方にずれ、テープ部２がローラー部１２の幅の中央近傍に配置される位置で、本体部１１に連接されている。このことによって、養生テープ貼付け装置２１０は重心が側方にずれるため、安定させるために、ローラー部１２は、養生テープ貼付け装置１０のローラー部１２と比較して、幅が大きく形成され、例えば１００ミリメートルである。
【００３２】
以下は、養生テープ貼付け装置２１０の使用方法の説明である。図５および図６は、養生テープ貼付け装置２１０を用いた使用方法が示されている。なお、養生テープ貼付け装置１０の使用方法は、養生テープ貼付け装置２１０の使用方法と同様であるため、説明が省略されている。
【００３３】
図５に示されているとおり、シート付養生テープ１ｂは、テープ部２の粘着面が上面となる向きで、溝部２１９に取り付けられている。シート付養生テープ１ｂは、各開口部２３２，２３３を通ってローラー部１２に前方側から巻かれ、テープ部２が、ローラー部１２の幅の中央近傍に配置されている。作業者が、本体部１１を押すことで、ローラー部１２が地面に沿って回転すると、シート付養生テープ１ｂが地面に貼り付けられる。仮に、地面に凹凸が存在していた場合であっても、ローラー部１２のＯリング１８が、弾性によって凹凸に応じて変形し、シート付養生テープ１ｂが地面に密着して貼り付けられる。
【００３４】
また、図６に示されているとおり、シート付養生テープ１ｂのテープ部２の粘着面が下面となる向きで、溝部２１９に取り付けられ、シート付養生テープ１ｂが、ローラー部１２と基支持部２１との間を通ってローラー部１２に後方側から巻かれた場合、作業者は、本体部１１を引くことで、作業をすることもできる。
【００３５】
以下は、養生テープ貼付け装置１０の効果の説明である。
【００３６】
養生テープ貼付け装置１０は、起立した作業者によって把持される本体部１１と、この本体部１１の下端に備えられたローラー部１２と、このローラー部１２の手前側で本体部１１に備えられた第一支持部１９とを有している。第一支持部１９に取り付けられたシート付養生テープ１ｂは、ローラー部１２に巻かれている。この構成により、作業者が、起立した状態で、養生テープ貼付け装置１０を操作して、ローラー部１２が地面に沿って回転することで、シート付養生テープ１ｂが地面に貼り付けられる。したがって、簡便な作業を実現し、作業者の身体の負担を軽減することができる。
【００３７】
養生テープ貼付け装置１０は、第一支持部１９の手前側で本体部１１に、ストック保持部２７が取り付けられている。ストック保持部２７は、交換用の未使用のシート付養生テープ１ａが収納される。この構成により、未使用のシート付養生テープ１ａが携行される。したがって、作業者は、シート付養生テープ１ｂを使い切って交換する場合であっても、シート付養生テープ１ａを資材置き場などに取りに戻る必要がない。
【００３８】
養生テープ貼付け装置１０は、シート付養生テープ１ｂのテープ部２がローラー部１２の幅の中央近傍に配置され、シート付養生テープ１ｂの幅よりもローラー部１２の幅が小さく形成されている。すなわち、必要最低限の費用でローラー部１２を構成しつつ、シート付養生テープ１ｂを地面に確実に貼り付けることができる。また、狭い場所であっても、ローラー部１２を行き届かせることができる。
【００３９】
養生テープ貼付け装置１０は、ローラー部１２が、複数のＯリング１８で構成されている。すなわち、Ｏリング１８であれば、劣化した場合であっても、ローラー部１２が、円柱状のゴム製部材などであった場合と比較して、入手や交換が簡便である。また、仮に、地面に凹凸が存在していた場合であっても、Ｏリング１８は、弾性によって凹凸に応じて変形し、シート付養生テープ１ｂを地面に密着させて貼り付けることができる。
【００４０】
以下は、養生テープ貼付け装置２１０の効果の説明である。なお、以下では、第一実施形態に係る養生テープ貼付け装置１０と同様の効果の説明は、適宜省略され、養生テープ貼付け装置１０と異なる効果のみが説明されている。
【００４１】
養生テープ貼付け装置２１０によれば、収容本体部２２８は、側部の前方寄りに、一対の溝部２１９が形成されている。すなわち、構成が簡便である。
【００４２】
養生テープ貼付け装置２１０によれば、蓋部２２９の内側は、前方寄りにおいて、フック状の仕切り部２３４が形成され、この仕切り部２３４によって、収容本体部２２８は、支持領域２３５とストック領域２３６とに区分されている。すなわち、支持領域２３５は、使用中のシート付養生テープ１ｂが溝部２１９に支持され、一方、ストック領域２３６は、未使用のシート付養生テープ１ａが収納される。この構成により、使用中のシート付養生テープ１ｂの回転が妨げられることがない。したがって、未使用のシート付養生テープ１ａを携行しつつ、円滑な作業を実現することができる。また、使用済みのシート付養生テープ１ｂが溝部２１９から取り外され、蓋部２２９が開けられると、未使用のシート付養生テープ１ａが自動的に溝部２１９に装着される。したがって、優れた利便性を実現することができる。
【００４３】
なお、交換の際、未使用のシート付養生テープ１ａを自動的に溝部２１９に装着させる必要がない場合、仕切り部２３４は、収容本体部２２８に形成されていてもよい。
【００４４】
以下は、本発明の第三実施形態に係る養生テープ貼付け装置の説明である。図７は、第三実施形態に係る養生テープ貼付け装置３１０が示されている。なお、以下の説明では、主に、第一実施形態に係る養生テープ貼付け装置１０と異なる構成が説明され、養生テープ貼付け装置１０と同様の構成は、説明が適宜省略されている。
【００４５】
図７に示されているとおり、第三実施形態に係る養生テープ貼付け装置３１０は、養生テープ貼付け装置１０と異なり、第二支持部３３７を有している。第二支持部３３７は、第一支持部１９とローラー部１２との間で本体部１１に備えられている。第二支持部３３７は、養生テープ４が取り付けられる。養生テープ４は、粘着性のテープ部２のみから構成され、いわゆるマスキングテープなどである。まず、養生テープ４を先にローラー部１２に巻き、ローラー部１２を地面に置く。次に、例えば接着部分Ｘで、シート付養生テープ１ｂを、養生テープ４に貼り付ける。作業者が、本体部１１を押すことで、ローラー部１２が地面に沿って回転すると、養生テープ４がシート付養生テープ１ｂと共に地面に貼り付けられる。すなわち、養生テープ４が地面に貼り付けられ、この養生テープ４の上にシート付養生テープ１ｂが貼り付けられる。
【００４６】
以下は、養生テープ貼付け装置３１０の効果の説明である。なお、以下では、第一実施形態に係る養生テープ貼付け装置１０、または、第二実施形態に係る養生テープ貼付け装置２１０と同様の効果の説明は、適宜省略され、養生テープ貼付け装置１０および養生テープ貼付け装置２１０と異なる効果のみが説明されている。
【００４７】
養生テープ貼付け装置３１０によれば、養生テープ４が取り付けられる第二支持部３３７が、第一支持部１９とローラー部１２との間で本体部１１に備えられ、養生テープ４がシート付養生テープ１ｂと共に地面に貼り付けられる。すなわち、養生テープ４の上にシート付養生テープ１ｂが貼り付けられた状態で、両テープ１ｂ，４が同時に地面に貼り付けられる。したがって、簡便な作業を実現し、作業者の身体の負担を軽減することができる。
【００４８】
なお、養生テープ貼付け装置３１０の構成が、第二実施形態に係る養生テープ貼付け装置２１０において実現された実施形態も存在する。
【００４９】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５０】
１ａ  未使用のシート付養生テープ
１ｂ  使用中のシート付養生テープ
２    テープ部
３    ポリシート部
４    養生テープ
５    芯部材
１０，２１０，３１０  養生テープ貼付け装置
１１  本体部
１２  ローラー部
１３  ローラー支持部
１４  ローラー基支持部
１５  ローラー軸支持部
１７  ナット
１８  Ｏリング
１９  第一支持部
２０  支持本体部
２１  基支持部
２２  軸支持部
２３  固定側軸支持部
２４  可動側軸支持部
２５  固定側軸部
２６  可動側軸部
２７，２２７  ストック保持部
２８，２２８  収容本体部
２９，２２９  蓋部
２１９  溝部（第一支持部）
２３２  本体開口部
２３３  蓋開口部
２３４  仕切り部
２３５  支持領域
２３６  ストック領域
３３７  第二支持部
Ｘ      接着部分
【図１】
2019077535.tif 000003
【図２】
2019077535.tif 000004
【図３】
2019077535.tif 000005
【図４】
2019077535.tif 000006
【図５】
2019077535.tif 000007
【図６】
2019077535.tif 000008
【図７】
2019077535.tif 000009